(57)【特許請求の範囲】
【請求項１】
平面横長長方形状のベースマットＭの左右幅に略合致した長さを有し且つ内部を空気が充填可能な空気室11、12に形成していると共に該空気室11、12を帯状の可撓性縦仕切壁12、22によってそれぞれ前後の空気室11a 、11b 、21a 、21b に二分割している膨張、収縮可能な合成樹脂製チューブ体からなる２つのセル体をそれぞれ第一セル体１、第二セル体２として、これらの第一、第二セル体１、２を上下に重ねあわせると共に、重ね合わせた第一、第二セル体１、２に、長さがこれらの第一、第二セル体１、２と同一長さを有すると共に上下方向の径がこれらの第一、第二セル体１、２の積み重ねた高さに略等しい径に形成され、且つ、内部を空気が充填可能な空気室31に形成していると共に該空気室31を帯状の可撓性横仕切壁32によって上下空気室31a 、31b に二分割している膨張、収縮可能な合成樹脂製チューブ体からなる第３セル体３を並設することにより１組のセル群A1を形成し、このセル群A1を複数組、上記ベースマットＭ上に該ベースマットＭの長さ方向に横列状態に並設して各セル群A1の長さ方向の両端部をベースマットＭの両側端部に取付けている環状ベルト体４、４・・・によって順次、抱着、固定してあり、さらに、各組のセル群A1において、下側に配設した第二セル体２の前後空気室21a 、21b と第三セル体３の下側空気室31b とを常時、内部の空気圧によって膨脹状態を保持させるように構成している一方、隣接する二組のセル群A1、A1における上側に配設されている第一セル体１の前後空気室11a 、11b と第三セル体３の上側空気室31a とにおいて、前後方向に隣接する空気室を交互に膨張、減圧させるように構成していることを特徴とする空気マットレス。
【発明の詳細な説明】
【０００１】
【発明の属する技術分野】
本発明は、患者が着座状態となった場合にあっても、常に膨張圧によって患者の体重を支持して、患者の床擦れを防止又は治療することができる空気マットレスに関する。
【０００２】
【従来の技術】
従来から、寝たきりの患者が常時、同じ姿勢でベッド上に長期間に亘って横臥することによって患者の背中や臀部等に床擦れが生じることが知られており、この床擦れは、ベッドに接する患者の皮膚の同じ部位が長期間に亘って圧迫されて血行が悪くなり、この血行の悪化が原因となって皮膚が脆くなり擦り傷が生じたり或いは皮膚の壊死が生じることにより生じるものといわれている。
【０００３】
そこで、上記のような患者の床擦れを防止するために空気マットレスが提供されている。この空気マットレスは、圧縮空気の充填によって膨張可能な所定長さのチューブ体を前後方向に横列状態に並設、接続してなる。
【０００４】
そして、上記空気マットレスをベッド上に敷設し、この空気マットレス上に患者を横臥させ、空気マットレスの互いに前後方向に隣接するチューブ体を一定時間毎に交互に膨張、収縮させることによって、空気マットレスに接する患者の皮膚表面への押圧力を一定時間毎に緩和させて、患者の皮膚表面の血行を改善させることが試みられている。
【０００５】
しかしながら、上記空気マットレス上に横臥した患者が食事をするためやテレビを見たりするために着座状態となった場合に、患者の体重が臀部に集中してしまって空気マットレスのチューブ体が押し潰されてしまい、患者の臀部がベッド上に着いてしまって、空気マットレスのチューブ体の膨張、収縮による患者の皮膚表面の押圧力の緩和が不十分となり、血行の改善効果が十分に発揮しないことがあるといった問題点があった。
【０００６】
【発明が解決しようとする課題】
本発明は、患者が着座状態となった場合にも空気圧によって常に患者を支持すると共に良好なクッション作用を発揮して患者の皮膚表面の血行の改善効果を確実に発揮し得る空気マットレスを提供する。
【０００７】
【課題を解決する手段】
請求項１に記載の空気マットレスは、平面横長長方形状のベースマットＭの左右幅に略合致した長さを有し且つ内部を空気が充填可能な空気室11、12に形成していると共に該空気室11、12を帯状の可撓性縦仕切壁12、22によってそれぞれ前後の空気室11a 、11b 、21a 、21b に二分割している膨張、収縮可能な合成樹脂製チューブ体からなる２つのセル体をそれぞれ第一セル体１、第二セル体２として、これらの第一、第二セル体１、２を上下に重ねあわせると共に、重ね合わせた第一、第二セル体１、２に、長さがこれらの第一、第二セル体１、２と同一長さを有すると共に上下方向の径がこれらの第一、第二セル体１、２の積み重ねた高さに略等しい径に形成され、且つ、内部を空気が充填可能な空気室31に形成していると共に該空気室31を帯状の可撓性横仕切壁32によって上下空気室31a 、31b に二分割している膨張、収縮可能な合成樹脂製チューブ体からなる第３セル体３を並設することにより１組のセル群A1を形成し、このセル群A1を複数組、上記ベースマットＭ上に該ベースマットＭの長さ方向に横列状態に並設して各セル群A1の長さ方向の両端部をベースマットＭの両側端部に取付けている環状ベルト体４、４・・・によって順次、抱着、固定してあり、さらに、各組のセル群A1において、下側に配設した第二セル体２の前後空気室21a 、21b と第三セル体３の下側空気室31b とを常時、内部の空気圧によって膨脹状態を保持させるように構成している一方、隣接する二組のセル群A1、A1における上側に配設されている第一セル体１の前後空気室11a 、11b と第三セル体３の上側空気室31a とにおいて、前後方向に隣接する空気室を交互に膨張、減圧させるように構成していることを特徴とする。
【０００８】
【作用】
使用時において、各セル群A1における下側に配設している第二セル体２と第三セル体３における下側空気室31b とに圧縮空気を充填して常時、膨脹させておくことにより、空気マットレス上に患者が着座或いは就寝した時に患者を支持する空気マットレスの上面が患者の姿勢に順応して円滑に変形すると共に安定した支持が可能となり、更に、各セル群A1における上側に配設している第一セル体１の前後空気室11a 、11b と第三セル体３における上側の空気室31a とを順次、交互に膨脹させることによって、これらの空気室11a 、11b 、31a における患者を支持する面圧が交互に変化し、床擦れを防止することができるばかりでなく、床擦れの治療も可能にすることができる。
【０００９】
その上、上下に重ね合わせた第一セル体１と第二セル体２とは、互いに独立していることから、空気マットレス上の患者が前後方向に移動した場合、この患者の移動に追従して第一セル体１の膨張した空気室11a 又は11b が第二セル体２の上周面上に圧接しながら前後方向に回動変位すると共に、第三セル体３の上側空気室31a も該上側空気室31a に隣接する第一セル体１の空気室11a 、11b の減圧によって第一セル体１側に、即ち、前後方向に容易に倒動することになる。
【００１０】
従って、空気マットレスの第一セル体１の前後空気室11a 、11b と第三セル体３の上側空気室31a からなる上側空気層は、空気マットレス上の患者の動きに追従して柔軟に前後方向に撓み変形し、患者と上側空気層との擦れは防止され、その結果、患者に床擦れが発生するのを効果的に防止することができる。
【００１１】
【発明の実施の形態】
本発明の空気マットレスの一例を図面を参照しつつ説明する。空気マットレスＡは、図１に示したように、ベッドの上面形状に略合致した布からなる平面縦長長方形状の一定厚みのベースマットＭ上に、第一セル体１と第二セル体２とを上下に重ね合わせ且つ第三セル体３を第一、二セル体１、２に並設してなるセル群A1を複数組、ベースマットＭの長さ方向に並設、接続してなる。
【００１２】
そして、図１及び図２に示したように、上記第一、二セル体１、２は共に同一構造を有し、内部が空気を充填可能な空気室11、21に形成され且つ上記ベースマットＭの左右幅に略合致した一定長さを有する膨張、収縮可能な可撓性を有する合成樹脂製チューブ体から形成されてあり、これらの第一、二セル体１、２の長さ方向をベースマットＭの幅方向に向けて上述したようにベースマットＭ上に並設しているものである。
【００１３】
更に、上記第一、二セル体１、２の空気室11、21は、これらの空気室11、21を膨張させた際における第一、第二セル体１、２の内径よりも縦幅が短く形成されている帯状の可撓性縦仕切壁12、22によって夫々、前後空気室11a 、11b 、21a 、21b に二分割されている。
【００１４】
詳しくは、第一、二セル体１、２内に上記縦仕切壁12、22を幅方向を上下方向に向けた状態で全長に亘って配設し、その上下端縁を第一、二セル体１、２の上下周部における径方向の中央部に一体に融着させることにより、これら第一、二セル体１、２の空気室11、21を上記縦仕切壁12、22によって二分割しているものである。
【００１５】
そして、上記第一、二セル体１の前後空気室11a 、11b 、21a 、21b 内に圧縮空気を充填すると、第一、二セル体１、２は、その縦仕切壁12、22の上下方向の緊張力によって、上下周面がその前後方向の中央部、即ち、縦仕切壁12、22の上下端部との接続部分において凹んだ状態となり、この凹み20部分から前後方向に向かって僅かに凸円弧状に膨張した状態となり、全体としては上下面が略平坦な断面略横長楕円形状に膨張するように構成されている。
【００１６】
次に、上記第三セル体３は、内部が空気を充填可能な空気室31に形成され且つ上記第一、二セル体１、２の上下高さの和に略合致した高さを有し、上記ベースマットＭの左右幅に略合致した一定長さを有する膨張、収縮可能な可撓性を有する合成樹脂製チューブ体から形成されてあり、これらの第三セル体３の長さ方向をベースマットＭの幅方向に向けて上述したようにベースマットＭ上に並設しているものである。
【００１７】
更に、上記第三セル体３の空気室31は、この空気室31を膨張させた際における第三セル体３の内径よりも横幅が短く形成されている帯状の可撓性横仕切壁32によって上下空気室31a 、31b に二分割されている。
【００１８】
詳しくは、第三セル体３内に上記横仕切壁32を幅方向を前後方向に向けた状態で全長に亘って配設し、その前後端縁を第三セル体３の前後周部における径方向の中央部に一体に融着させることにより、上記第三セル体３の空気室31を上記横仕切壁32によって二分割しているものである。
【００１９】
そして、上記第三セル体３の上下空気室31a 、31b 内に圧縮空気を充填すると、第三セル体３は、その横仕切壁32の前後方向の緊張力によって、前後周面がその上下方向の中央部、即ち、横仕切壁32の前後端部との接続部分において凹んだ状態となり、この凹み部分から上下方向に向かって凸円弧状に膨張した状態となり、全体としては、上下方向の中央部が凹んだ断面略縦長楕円形状に膨張するように構成されている。
【００２０】
上記のように構成された第二セル体２上に第一セル体１を上下方向に重ね合わせると共に、この上下方向に重ね合わせた第一、二セル体１、２の前側に略密接させた状態に第三セル体３を並設してセル群A1を構成しており、このセル群A1を複数組、ベースマットＭ上に該ベースマットＭの前後方向（長さ方向）に横列状態に並設し、各セル群A1の長さ方向の両端部をベースマットＭの両側端部に長さ方向に連続的に取付けている第一環状ベルト体４、４・・・によって順次、抱着、固定してあり、更に、隣接するセル群A1、A1における一方のセル群の第一、二セル体１、２と他方のセル群A1の第三セル体を一組として、このセル群A2を上記両側の第一環状ベルト体列に並列させてベースマットＭの両側端部に長さ方向に連続的に取り付けている第二環状ベルト体５、５・・・によって順次、抱着、固定して空気マットレスＡを構成している。
【００２１】
上記第一環状ベルト体４の具体的構成は、図１及び図３に示したように、このベースマットＭの左右方向の両端部上の夫々に、ベースマットＭの長さ方向（前後方向）に沿って上記セル群A1の前後幅に等しい間隔毎に一定長さを有する可撓性第一帯状体41、41・・・の下端部を縫着一体化すると共に、前後方向に隣接する第一帯状体41、41において後方側の第一帯状体41の上端を前方側の第一帯状体41の上下方向の中央部に縫着一体化することによって形成されている。
【００２２】
同様に、上記第二環状ベルト体５の具体的構成は、ベースマットＭ上における第一環状ベルト体４、４間の両端部の夫々であって上記第一環状ベルト体４を構成する第一帯状体41、41・・・のベースマットＭへの縫着部分から第三セル体３の前後幅だけ後方にずれた位置に、上記第一環状ベルト体４、４に沿って上記セル群A1の前後幅に等しい間隔毎に、上記第一帯状体41と同一長さを有する可撓性第二帯状体51、51・・・の下端部を縫着一体化し、更に、前後方向に隣接する第二帯状体51、51において後方側の第二帯状体51の上端を前方側の第二帯状体51の上下方向の中央部に縫着一体化することによって形成している。
【００２３】
そして、上記ベースマットＭ上に一体的に設けられた各第一、二環状ベルト体４、５内に上記セル群A1の両端部を挿通支持させることによって、複数組のセル群A1、A1・・・を上記ベースマットＭ上に前後方向に安定的に並設、固定している。
【００２４】
詳細には、図１に示したように、上記セル群A1の第一、二セル体１、２は、上記第一、二環状ベルト体４、５における上記第一環状ベルト体４の後半部と上記第二環状ベルト体５の前半部とが側面からみて重なり合う部分に挿通、支持されると共に、上記セル群A1の第三セル体３は、上記第一、二環状ベルト体４、５における上記第一環状ベルト体４の前半部と上記第二環状ベルト体５の後半部とが側面からみて重なり合う部分に挿通、支持されている。
【００２５】
即ち、各第一セル体乃至第三セル体１〜３の長さ方向の両端部は、上記第一、二環状ベルト体４、５間における前後方向に隣接する垂直部42、52によって安定的に支持された状態となっている。
【００２６】
従って、第一セル体乃至第三セル体１〜３は、空気マットレスＡを屈曲させた場合にあっても上方に膨出したり或いは前後方向に妄動したりすることはなく、ベースマットＭ上の所定位置に安定的に支持、固定されている。
【００２７】
更に、図４に示したように、上記各セル群A1を構成している第一セル体乃至第三セル体１〜３の長さ方向の一端部には、内部に空気を充填させるための注入口が設けられていると共に、各セル群A1における下側に配設した第二セル体２の前後空気室21a 、21b 及び第三セル体３の下側空気室31b とを共通する空気供給管６に連結、連通させ、この空気供給管６を通じてコンプレッサＢから圧縮空気を充填して第二セル体２の前後空気室21a 、21b 及び第三セル体３の下側空気室31b を一斉に膨張させるように構成している一方、隣接するセル群A1、A1において、一方の組の第一セル体１の前後空気室11a 、11b における一方の空気室及び第三セル体３の上側空気室31a と、他方の組の第一セル体１の前後空気室11a 、11b における他方の空気室とを共通する空気供給管７に連結、連通させ、他方の組の第一セル体１の前後空気室11a 、11b における一方の空気室及び第三セル体３の上側空気室31a と、一方の組の第一セル体１の前後空気室11a 、11b における他方の空気室とを上記空気供給管７とは別な共通の空気供給管８に連結、連通させ、上記空気供給管７、８を通じて上記コンプレッサＢから圧縮空気を充填し、隣接する二組のセル群A1、A1における上側に配設されている空気室、即ち、第一セル体１の前後空気室11a 、11b 及び第三セル体３の上側空気室31a において前後方向に隣接する空気室を交互に膨張、減圧させるように構成されている。
【００２８】
次に、上記空気マットレスＡの使用要領について説明する。先ず、空気マットレスＡをベッド上に敷設すると共に、上記空気マットレスＡのセル体１〜３に連結、連通させた空気供給管６〜８をコンプレッサＢに接続して第一セル体乃至第三セル体３に圧縮空気を充填して膨張させ、この膨張させた空気マットレスＡ上に患者を横臥させて用いられる。
【００２９】
そして、上記コンプレッサＢを作動させて上記空気供給管６を通じて第二セル体の前後空気室21a 、21b 及び第三セル体３の下側空気室31b 内に一斉に圧縮空気を供給して、これら空気室21a 、21b 、31b を常時、膨張させた状態とする。
【００３０】
これと同時に、上記コンプレッサＢから上記空気供給管７、８の何れか一方、例えば、空気供給管７を通じて、隣接するセル群A1、A1において、一方の組の第一セル体１の前後空気室11a 、11b における一方の空気室及び第三セル体３の上側空気室31a と、他方の組の第一セル体１の前後空気室11a 、11b における他方の空気室とに圧縮空気を充填して、これら空気室を膨張させる。
【００３１】
次に、所定時間が経過した後、上記空気供給管７に連結、連通させた第一セル体１の空気室及び第三セル体３の上側空気室31a 内への圧縮空気の充填を停止する一方、上記コンプレッサＢから空気供給管８を通じて、他方の組の第一セル体１の前後空気室11a 、11bにおける一方の空気室及び第三セル体３の上側空気室31a と、一方の組の第一セル体１の前後空気室11a 、11b における他方の空気室とに圧縮空気を充填して、これら空気室を膨張させる。
【００３２】
更に、所定時間が経過した後、上記空気供給管８に連結、連通させた第一セル体１の空気室及び第三セル体３の上側空気室31a 内への圧縮空気の充填を停止する一方、上記コンプレッサＢから空気供給管７を通じて、再度、この空気供給管７に連結、連通されている第一セル体１の空気室及び第三セル体３の上側空気室31a 内に圧縮空気を充填してこれら空気室を膨張させる。
【００３３】
即ち、上記空気マットレスＡは、各セル群A1の第二セル体２の前後空気室21a
、21b 及び第三セル体３の下側空気室31b 内に常時、圧縮空気を充填し、内部の空気圧によって第二セル体２の前後空気室21a 、21b 及び第三セル体３の下側空気室31b の膨張状態を保持している一方、隣接する二組のセル群A1、A1における上側に配設されている空気室、即ち、第一セル体１の前後空気室11a 、11b 及び第三セル体３の上側空気室31a において前後方向に隣接する空気室を交互に膨張、減圧させて用いられる。
【００３４】
このように、空気マットレスＡにおける第二セル体２の前後空気室21a 、21b 及び第三セル体３の下側空気室31b を常時、膨張させていることから、空気マットレスＡは優れたクッション性を有している。
【００３５】
しかも、空気マットレスＡを前後方向の中央部から屈曲させて、空気マットレスＡ上の患者を着座状態とした場合にあっても、第二セル体２の前後空気室21a
、21b 及び第三セル体３の下側空気室31b 内に常時、圧入されている空気圧によって、患者をその臀部に集中する体重に抗して安定的に且つ柔らかく支持し、患者の臀部がベッド上に着くことに起因した臀部の皮膚の血行不良を防止して床擦れの防止及び治療を行うことができる。
【００３６】
更に、上記第二セル体２及び第三セル体３は、その両端部が第一、二環状バンド体４、５内に挿通、支持されていることから、空気マットレスＡの屈曲変形にもかかわらず、互いに前後方向に隣接するセル体２、３同士の密接状態を確実に保持して型崩れすることなく患者の臀部を確実に支持することができる。
【００３７】
又、上記空気マットレスＡは、第一セル体１の前後空気室11a 、11b 及び第三セル体３の上側空気室31a において前後方向に隣接する空気室を交互に膨張、減圧させて用いられ、空気マットレスＡ上に横臥する患者の皮膚に加えられる空気マットレスＡの第一セル体１及び第三セル体３からの押圧力を所定時間毎に軽減させて皮膚の血行を改善し、患者の床擦れの防止及び治療を効果的に行うことができる。
【００３８】
そして、上記空気マットレスＡの第一セル体１の前後空気室11a 、11b 及び第三セル体３の上側空気室31a は、所定時間毎に膨張、減圧を繰り返すが、上下に重ね合わせた第一セル体１と第二セル体２とは、互いに独立していることから、空気マットレスＡ上の患者が前後方向に移動した場合、この患者の移動に追従して第一セル体１の膨張した空気室が第二セル体２の上周面上に圧接しながら前後方向に回動変位すると共に、第三セル体３の上側空気室31a も該上側空気室31a
に隣接する第一セル体１の減圧によって第一セル体１側に、即ち、前後方向に容易に倒動することになる。
【００３９】
従って、空気マットレスＡの第一セル体１の前後空気室11a 、11b と第三セル体３の上側空気室31a からなる上側空気層は、空気マットレスＡ上の患者の動きに追従して柔軟に前後方向に撓み変形し、患者と上側空気層との擦れは防止され、その結果、患者に床擦れが発生するのを効果的に防止することができる。
【００４０】
更に、上記第一セル体１及び第三セル体３は、その両端部が第一、二環状バンド体４、５内に挿通、支持されていることから、第一セル体１の前後空気室11a
、11b 及び第三セル体３の上側空気室31a の膨張、減圧動作にもかかわらず、前後方向に大きく妄動したり或いは上方に膨出したりすることはなく、第一セル体１及び第三セル体３と患者の皮膚との擦れの発生を抑制して床擦れの発生を抑制することができる。
【００４１】
【発明の効果】
請求項１に係る発明によれば、平面横長長方形状のベースマットＭの左右幅に略合致した長さを有し且つ内部を空気が充填可能な空気室11、12に形成していると共に該空気室11、12を帯状の可撓性縦仕切壁12、22によってそれぞれ前後の空気室11a 、11b 、21a 、21b に二分割している膨張、収縮可能な合成樹脂製チューブ体からなる２つのセル体をそれぞれ第一セル体１、第二セル体２として、これらの第一、第二セル体１、２を上下に重ねあわせると共に、重ね合わせた第一、第二セル体１、２に、長さがこれらの第一、第二セル体１、２と同一長さを有すると共に上下方向の径がこれらの第一、第二セル体１、２の積み重ねた高さに略等しい径に形成され、且つ、内部を空気が充填可能な空気室31に形成していると共に該空気室31を帯状の可撓性横仕切壁32によって上下空気室31a 、31b に二分割している膨張、収縮可能な合成樹脂製チューブ体からなる第３セル体３を並設することにより１組のセル群A1を形成し、このセル群A1を複数組、上記ベースマットＭ上に該ベースマットＭの長さ方向に横列状態に並設、接続してなるので、下側に配した第二セル体２の前後空気室21a 、21b と第三セル体３における下側空気室31b とによって一定厚みを有するマットレスの下側空気層を形成することができ、これら第二セル体２の空気室21a 、21b と第三セル体３の下側空気室31b とに圧縮空気を充填することによって全面的に良好なクッション作用を発揮する下側空気層を形成することができる。
【００４２】
更に、上側に配している第一セル体１の前後空気室11a 、11b と第三セル体３の上側空気室31a とによって一定厚みを有するマットレスの上側空気層を形成することができると共にこの上側空気層が上記全面的に膨脹している一定厚みの下側空気層によって支持されて、空気マットレスを患者の姿勢に対応して円滑に変形させることができると共に安定した患者の支持が可能となるものである。
【００４３】
しかも、上下に重ね合わせた第一セル体１と第二セル体２とは、互いに独立していることから、空気マットレス上の患者が前後方向に移動した場合、この患者の移動に追従して第一セル体１の膨張した空気室11a 又は11b が第二セル体２の上周面上に圧接しながら前後方向に回動変位すると共に、第三セル体３の上側空気室31a も該上側空気室31a に隣接する第一セル体１の空気室11a 又は11b の減圧によって第一セル体１側に、即ち、前後方向に容易に倒動することになる。
【００４４】
従って、空気マットレスの第一セル体１の前後空気室11a 、11b と第三セル体３の上側空気室31a とからなる上側空気層は、空気マットレス上の患者の動きに追従して柔軟に前後方向に撓み変形し、患者と上側空気層との擦れは防止され、その結果、患者に床擦れが発生するのを効果的に防止することができる。
【００４５】
又、上記のように構成した空気マットレスにおいて、第一セル体１の内部を帯状の可撓性縦仕切壁11によって前後空気室11a 、11b に区画形成しているので、上記空気マットレスの第一セル体１の前後空気室11a 、11b は、所定時間毎に膨張、減圧を繰り返すが、膨張した空気室11a 又は11b は、この膨張した空気室11a 又は11b と一体の減圧状態の空気室11b 又は11a と共に第二セル体２上に全面的に安定した状態に載置され、この第一セル体１によって安定的に患者を支持することができる。
【００４６】
そして、上記のように構成した空気マットレスにおいて、第二セル体２の内部も帯状の可撓性縦仕切壁22によって前後空気室21a 、21b に区画形成しているので、第二セル体２が必要以上に上下方向に膨張するのを縦仕切壁22の緊張力により確実に規制することができると共に、この縦仕切壁22の縦幅を第二セル体２の内径よりも短く形成しておくことによって、縦仕切壁22の上端を支点として第二セル体２の上周部の前半部と後半部とを上方に膨出させることができ、従って、第二セル体２の上周面をできるだけ平面に近い状態に保持して、第二セル体２上に第一セル体１を安定した状態に載置させておくことができ、この第一セル体１によって安定的に患者を支持することができる。
【００４７】
更に、ベースマット上に上記セル群を複数組、前後方向に横列状態に配設していると共に、各セル群A1の長さ方向の両端部をベースマットＭの両側端部に取付けている環状ベルト体４、４・・・によって順次、抱着、固定しているので、セル群A1をベースマットＭ上の所定の位置に横列状態に正確に配設しておくことができ、取り扱いや使用時においても形崩れが生じる虞れがないと共に、使用時にマットレスが湾曲変形しても、局部的にセル体１〜３が上方に膨出するのを阻止することができて座り心地のよい安定した空気マットレスを提供することができる。
【００４８】
又、上記各組のセル群A1において、下側に配設した第二セル体２の前後空気室21a 、21b と第三セル体３の下側空気室31b とを常時、内部の空気圧によって膨脹状態を保持させるように構成している一方、隣接する二組のセル群A1、A1における上側に配設されている第１セル体１の前後空気室11a 、11b と第三セル体３の上側空気室31a とにおいて、前後方向に隣接する空気室を交互に膨張、減圧させるように構成しているので、下側に配した第二セル体２の前後空気室21a 、21b と第三セル体３の下側空気室31b とによって形成された下側空気層が全面的に均等のクッション作用を発揮して患者の姿勢に応じてマットレスを円滑に変形させることができると共に安定した患者の支持が可能となり、その上、各セル群A1における上側に配設している第一セル体１の前後空気室11a 、11b と第三セル体３の上側空気室31a とを順次、交互に膨脹させるので、患者を支持するセル体の面圧が交互に変化して床擦れを防止することができるばかりでなく、床擦れの治療も可能にすることができる。
【図面の簡単な説明】
【図１】  本発明の空気マットレスを示した斜視図である。
【図２】  セル群を示した縦断面図である。
【図３】  空気マットレスの一部を示した模式側面図である。
【図４】  セル群とコンプレッサとの接続状態を示した模式図である。
【符号の説明】
１  第一セル体
11  空気室
11a 前側空気室
11b 後側空気室
12  縦仕切壁
２  第二セル体
21  空気室
21a 前側空気室
21b 後側空気室
22  縦仕切壁
３  第三セル体
31  空気室
31a 上側空気室
31b 下側空気室
32  横仕切壁
４  第一環状ベルト体
５  第二環状ベルト体
６、７、８  空気供給管
A1  セル群
Ａ  空気マットレス
Ｍ  ベースマット
【図１】
0004156298.tif 000002
【図２】
0004156298.tif 000003
【図３】
0004156298.tif 000004
【図４】
0004156298.tif 000005